(57)【特許請求の範囲】
【請求項１】
基地局と移動局を含む移動通信システムであって、
移動局は、基地局に対して自局の位置情報と基地局からの基準信号の受信電力値を報告し、
基地局は、移動局からの前記位置情報と前記受信電力値に基づいてセルカバレッジの測定結果である測定セルカバレッジを得るとともに、前記測定セルカバレッジと目標セルカバレッジの誤差が少なくなるように、移動局に対する送信電力、アンテナのチルト角度を含む複数のパラメータの少なくとも１つを制御する、
移動通信システム。
【請求項２】
基地局は、移動局からの前記位置情報と前記受信電力値に基づいてセルカバレッジの基準となる基地局からの第１距離を推定するとともに、前記第１距離と所定の目標距離の誤差が少なくなるように移動局に対する送信電力を制御する、
請求項１に記載された移動通信システム。
【請求項３】
基地局は、移動局のハンドオーバ開始時における第１位置と基準信号の第１受信電力値、及び前記移動局のハンドオーバ完了時における第２位置と基準信号の第２受信電力値に基づいて、前記第１距離を推定する、
請求項２に記載された移動通信システム。
【請求項４】
基地局は、既知の第３位置と既知の第３受信電力値及びセルエッジ近傍に位置すると判断された移動局の第４位置と基準信号の第４受信電力値に基づいて、前記第１距離を推定する、
請求項２に記載された移動通信システム。
【請求項５】
基地局は、複数の移動局からの前記位置情報と前記受信電力値に基づいて得られた複数の第１距離の中から最短の第１距離を選択する、
請求項２〜４のいずれかに記載された移動通信システム。
【請求項６】
基地局は、前記基準信号の送信電力値と移動局における前記基準信号の受信電力値とから得られる信号減衰度を移動局の位置と関連付けることで、前記測定セルカバレッジの領域を所定の領域単位で特定する、
請求項１に記載された移動通信システム。
【請求項７】
移動局に対して基準信号を送信する送信部と、
移動局の位置情報と、前記基準信号の移動局における受信電力値とを、基地局から取得する受信部と、
移動局からの前記位置情報と前記受信電力値とに基づいて、セルカバレッジの測定結果である測定セルカバレッジを得るセルカバレッジ測定部と、
前記測定セルカバレッジと目標セルカバレッジの誤差が少なくなるように、移動局に対する送信電力、アンテナのチルト角度を含む複数のパラメータの少なくとも１つを制御するセルカバレッジ制御部と、
を備えた、基地局。
【請求項８】
基地局と移動局を含む移動通信システムにおいて、基地局が自局のセルカバレッジを制御するセルカバレッジ制御方法であって、
移動局が、基地局に対して自局の位置情報と基地局からの基準信号の受信電力値を報告し、
基地局が、移動局からの前記位置情報と前記受信電力値に基づいてセルカバレッジの測定結果である測定セルカバレッジを取得し、
基地局が、前記測定セルカバレッジと目標セルカバレッジの誤差が少なくなるように、移動局に対する送信電力、アンテナのチルト角度を含む複数のパラメータの少なくとも１つを制御する、
セルカバレッジ制御方法。
【発明の詳細な説明】
【技術分野】
【０００１】
本発明は、移動通信システムにおいて基地局のセルカバレッジを制御する技術に関する。
【背景技術】
【０００２】
従来、移動通信システムでは、予めサービスを提供する通信事業者がセルカバレッジ、すなわち無線基地局（以下、単に「基地局」）毎の移動局に対するサービスエリアを決定し、そのセルカバレッジが得られるように基地局に対してパラメータを設定している。このパラメータは例えば、基地局の各セルに対する送信電力、アンテナの高さ、指向方向、及びチルト角度等である。所定の上記パラメータを設定してシステムの運用を開始した場合、システムの運用条件の変更、無線環境の変化（例えば、新規の建造物によるパスロス(path loss)の変化）によって当初予定していたセルカバレッジが後発的に得られなくなることがある。そこで通信事業者は、システムのユーザに対する通信サービスの品質を維持するため、基地局からの電波の受信電力を電波測定装置等で測定ことにより、基地局のセルカバレッジを測定している。その測定結果としてのセルカバレッジ（測定セルカバレッジ）と、当初予定していた目標とするセルカバレッジ（目標セルカバレッジ）とが比較され、必要に応じて上記パラメータの変更が定期的又は不定期に行われる。【０００３】
例えば、従来の上記パラメータの設定方法に関して、以下のものが知られている。この従来の設定方法によれば、最適化対象エリア内において特定された問題エリア内の全てのセルについて、問題エリアにおける受信品質を向上させる各セルのパラメータが計算される。このパラメータの計算は、局情報記録データベースから検索した局情報と測定データ記録データベースに記録された問題エリアの各測定点の位置座標とに基づいて行われる。
【先行技術文献】
【特許文献】
【０００４】
【特許文献１】特開２００９−８１４８６号公報
【発明の概要】
【発明が解決しようとする課題】
【０００５】
しかしながら、測定セルカバレッジを得るための、定期的又は不定期での電波測定装置等を使用した受信電力の測定には、時間も人手も掛かる。そのため、短時間毎に上記パラメータを更新することは困難であるが、移動通信システム内の無線環境の変化は常に生じうる。よって、上記パラメータの更新が適時に行われず、測定セルカバレッジと目標セルカバレッジが乖離する、すなわち、サービス外のエリアが多く生ずるという虞がある。【０００６】
よって、発明の１つの側面では、人手を煩わせることなく適時にセルカバレッジをほぼ目標値に維持するように移動通信システムを運用することができるようにした、移動通信システム、基地局、セルカバレッジ制御方法、を提供することを目的とする。
【課題を解決するための手段】
【０００７】
基地局と移動局を含む移動通信システムが提供される。
この移動通信システムにおいて、移動局は、基地局に対して、自局の位置情報と基地局からの基準信号の受信電力値を報告する。基地局は、移動局からの位置情報と受信電力値に基づいて、セルカバレッジの測定結果である測定セルカバレッジを得るとともに、測定セルカバレッジと目標セルカバレッジの誤差が少なくなるように、移動局に対する送信電力、アンテナのチルト角度を含む複数のパラメータの少なくとも１つを制御する。【０００８】
移動局に対して基準信号を送信する送信部；
移動局の位置情報と、基準信号の移動局における受信電力値とを、基地局から取得する受信部；
移動局からの位置情報と受信電力値とに基づいて、セルカバレッジの測定結果である測定セルカバレッジを得るセルカバレッジ測定部；
測定セルカバレッジと目標セルカバレッジの誤差が少なくなるように、移動局に対する送信電力、アンテナのチルト角度を含む複数のパラメータの少なくとも１つを制御するセルカバレッジ制御部；
を備えた、基地局が提供される。【０００９】
基地局と移動局を含む移動通信システムにおいて、基地局が自局のセルカバレッジを制御するセルカバレッジ制御方法が提供される。
このセルカバレッジ制御方法は、
移動局が、基地局に対して、自局の位置情報と基地局からの基準信号の受信電力値を報告すること；
基地局が、移動局からの位置情報と受信電力値に基づいて、セルカバレッジの測定結果である測定セルカバレッジを取得すること；
基地局が、測定セルカバレッジと目標セルカバレッジの誤差が少なくなるように、移動局に対する送信電力、アンテナのチルト角度を含む複数のパラメータの少なくとも１つを制御すること；
を含む。
【発明の効果】
【００１０】
開示の移動通信システム、基地局、セルカバレッジ制御方法によれば、人手を煩わせることなく適時にセルカバレッジをほぼ目標値に維持するように移動通信システムを運用することができる。
【図面の簡単な説明】
【００１１】
【図１】第１実施形態のセルカバレッジ制御方法の実行前のセルの状態の一例を示す図。
【図２】第１実施形態のセルカバレッジ制御方法の実行前のセルの状態の他の一例を示す図。
【図３】第１実施形態のセルカバレッジ制御方法の一例を説明するフローチャート。
【図４】第２実施形態の無線ネットワーク構成の概略を示す図。
【図５】第２実施形態のＵＥについてｅＮＢ間ハンドオーバするときの状態を示す図。
【図６】第２実施形態のＵＥ及びｅＮＢの構成を示すブロック図。
【図７】第２実施形態において、ハンドオーバのターゲットｅＮＢからのＵＥの距離と、そのＵＥから報告される受信電力値との関係を示した図。
【図８】第２実施形態のｅＮＢとＵＥの間の処理を説明するためのフローチャート。
【図９】第２実施形態のｅＮＢの処理を説明するためのフローチャート。
【図１０】第３実施形態の制御の概要を説明するための図。
【図１１】第３実施形態においてセルエッジ近傍に位置するＵＥのｅＮＢからの距離と、そのＵＥから報告される受信電力値との関係を示した図。
【図１２】第３実施形態のｅＮＢとＵＥの間の処理を説明するためのフローチャート。
【図１３】第３実施形態のｅＮＢの処理を説明するためのフローチャート。
【図１４】第４実施形態のセルカバレッジ制御の概要を説明するための図。
【図１５】第４実施形態のセルカバレッジ制御方法に従って行われる、ｅＮＢとＵＥの間の処理を示すフローチャート。
【図１６】第５実施形態のセルカバレッジ制御の概要を説明するための図。
【図１７】第５実施形態のセルカバレッジ制御方法に従って行われる、各ｅＮＢと各ＵＥの間の処理を示すフローチャート。
【図１８】第６実施形態のセルカバレッジ制御の概要を説明するための図。
【図１９】第６実施形態のセルカバレッジ制御方法に従って行われる、各ｅＮＢ、各ＵＥ、及びＥＭＳの間の処理を示すフローチャート。
【発明を実施するための形態】
【００１２】
以下、移動通信システム、及びセルカバレッジ制御方法の複数の実施形態について説明する。各実施形態の移動通信システムはセルラシステムであり、各セルに割り当てられた基地局と、その基地局により無線通信のサービスを受ける移動局とを含む。以下の説明及び添付の図面において、基地局による移動局に対する無線通信のサービスエリアの指標となるセルカバレッジは、表示及び理解の容易性のために円形又は矩形で表記する。しかしながら、本実施形態のセルカバレッジ制御方法が、いかなる形態の領域を想定したセルカバレッジにも適用しうることは、本明細書を見た当業者により正しく理解される。
なお、以下の説明では、基地局をｅＮＢ(evolved Node B)、移動局をＵＥ(User Equipment)として略記する。
【００１３】
（１）第１実施形態
以下、第１実施形態の移動通信システムについて説明する。
この移動通信システム（以下、適宜単に「システム」と略記する。）において、ｅＮＢの移動局に対する目標のサービスエリア、すなわち目標セルカバレッジが予め規定される。そして、システムの運用に当たって、当初は目標セルカバレッジが得られるようにｅＮＢに対してパラメータが設定される。このパラメータとして例えば、ｅＮＢの各ＵＥに対する送信電力、ｅＮＢに備わるアンテナの高さ、指向方向、及びチルト角度等が挙げられる。
【００１４】
本実施形態のｅＮＢでは、アンテナの高さ、指向方向、及びチルト角度等を制御するため制御システム（図示せず）が実装される。この制御システムには、制御指令に基づいて、アンテナの高さ方向、アンテナの指向方向、及びアンテナのチルト角度方向を調節するためのアクチュエータ等が含まれる。
【００１５】
本実施形態のｅＮＢは、各ＵＥから、各ＵＥの位置に関する情報（以下、「位置情報」という。）を取得する。また、本実施形態のｅＮＢは、パイロット等の基準信号を所定の電力レベルで各ＵＥに対して送信する。各ＵＥでは基準信号の受信電力値を測定してｅＮＢへ報告する。ｅＮＢは、各ＵＥから報告される受信電力値に基づいてセルカバレッジを測定する。受信電力値に基づくセルカバレッジの測定は様々な方法を採ることができる。
【００１６】
例えば、特定のＵＥのセル内の異なる位置（２点の位置）の情報と、その２点の位置におけるそのＵＥの基準信号の受信電力値とに基づいて、セルカバレッジが測定される。２点の位置と、その２点の位置における受信電力値の変動とが分かれば、三角法に基づいてセルのエッジが算出できる。すなわち、セルカバレッジを測定することができる。
【００１７】
また、ｅＮＢは、ＵＥに対する基準信号の送信電力値が既知であるため、この送信電力値とＵＥから報告される受信電力値に基づいて、ｅＮＢとＵＥの間の信号の信号減衰度（「パスロス」ともいう。）を測定することができる。ＵＥも、自局に対するｅＮＢにおける基準信号の送信電力値が既知であるか、又はｅＮＢから通知されれば、基準信号の受信電力値に基づいてパスロスを測定することができる。この信号減衰度をＵＥの位置情報と関連付ければ、ｅＮＢとＵＥの間で無線通信を行うための信号減衰度の所定の閾値に基づいて、セルカバレッジを所定の領域単位で測定できる。このセルカバレッジ測定方法であれば、セルエッジのみならずセル内の局所的な感度不良エリアも特定することができる。
【００１８】
以下の説明では、測定されたセルカバレッジを測定セルカバレッジという。
この測定セルカバレッジは、移動通信システムの目標セルカバレッジ（例えば、システムの運用当初に設定された目標のセルカバレッジ）と比較される。そしてｅＮＢは、測定セルカバレッジと目標セルカバレッジの誤差が少なくなるように、上述した複数のパラメータの少なくとも１つを制御する。
【００１９】
図１及び図２に、測定セルカバレッジと目標セルカバレッジとが乖離した状態（本実施形態のセルカバレッジ制御方法の実行前の状態）の例を示す。図１では、測定セルカバレッジが全方位で目標セルカバレッジに対して狭くなっており、一例としてＵＥ１００はｅＮＢと通信可能であるが、ＵＥ１０１はｅＮＢと通信不可能である状態を示している。図２では、測定セルカバレッジは特定の方向において目標セルカバレッジに対して狭くなっており、一例としてＵＥ１００はｅＮＢと通信可能であるが、ＵＥ１０１はｅＮＢと通信不可能である状態を示している。
【００２０】
本実施形態のｅＮＢは、測定セルカバレッジと目標セルカバレッジを比較し、図１に示したように、全方位で測定セルカバレッジが全方位で目標セルカバレッジに対して狭いことが分かると、全方位で送信電力を増加させる。その結果、測定セルカバレッジと目標セルカバレッジの誤差が少なくなる。
一方、本実施形態のｅＮＢは、測定セルカバレッジと目標セルカバレッジを比較し、図２に示したように、測定セルカバレッジが特定の方向において目標セルカバレッジに対して狭い場合には、例えば特定の方向の送信電力を増加させる。例えばセルが３セクタ構成となっている場合には、所定のセクタ（図２では、セクタＳＴ１）に対応する方向の送信電力が増加させられる。また、特定のセクタに対するアンテナのチルト角度を制御するようにしてもよい。その結果、測定セルカバレッジと目標セルカバレッジの誤差が少なくなる。
【００２１】
本実施形態のセルカバレッジ制御方法の一例について、図３を参照して説明する。
図３を参照すると先ず、ｅＮＢから、パイロット等の基準信号を所定の電力レベルで各ＵＥに対して送信する（ステップＳ１０）。ＵＥは、ステップＳ１０で送信された基準信号を受信して、その受信電力値を測定する（ステップＳ１２）。さらにＵＥは、例えばＧＰＳ(Global Positioning System)等の所定の位置取得手段により、自局の位置情報を取得する（ステップＳ１４）。ステップＳ１２及びステップＳ１４で得られた受信電力値と位置情報は、その後ｅＮＢへ報告される（ステップＳ１６）。
【００２２】
ｅＮＢでは、ステップＳ１６の各ｅＵＥからの報告を受けて、前述したセルカバレッジ測定方法によりセルカバレッジを測定して測定セルカバレッジを得る（ステップＳ１８）。このときセルカバレッジ測定方法に応じて、同一のＵＥから異なる位置における、複数サンプルの受信電力値と位置情報を取得しうる。
次にｅＮＢは、ステップＳ１８で得られた測定セルカバレッジと、予め規定される目標セルカバレッジとを比較して、両者の誤差が少なくなるように、送信電力、アンテナの高さ、指向方向、及びチルト角度等を含む複数のパラメータの少なくとも１つを制御する。ここで、制御対象のパラメータは、測定セルカバレッジと目標セルカバレッジの誤差が最も少なくするものが選択されることが好ましい。
以上のステップＳ１０〜Ｓ２０の処理は逐次行われる。そのため、無線環境の変化によって、目標セルカバレッジに対して測定セルカバレッジが乖離することがあっても、短期間でｅＮＢにおける上記パラメータが適切な値となるようにフィードバックされる。
【００２３】
以上説明したように、本実施形態の移動通信システム、セルカバレッジ制御方法によれば、ｅＮＢはＵＥに対して基準信号を送信し、各ＵＥから報告される位置情報と基準信号の受信電力値とに基づいて、測定セルカバレッジを得る。そして、ｅＮＢは、測定セルカバレッジと目標セルカバレッジの誤差が少なくなるように、ＵＥに対するパラメータを制御する。このとき、特別な電波測定装置等を用いた電力測定を要しない。よって、人手を煩わせることなく適時にセルカバレッジをほぼ目標値に維持できる。
【００２４】
（２）第２実施形態
以下、第２実施形態の移動通信システムについて説明する。
第２実施形態の移動通信システムにおいて、セルカバレッジの測定は、ＵＥに対するｅＮＢ間ハンドオーバが行われるタイミングでなされる。なお、本実施形態では、ＵＥからの位置情報と基準信号の受信電力値とに基づいて、ｅＮＢからセルエッジまでの距離（セルカバレッジの基準となるｅＮＢからの第１距離）を算出する。そして、このｅＮＢからの距離を半径とする、ｅＮＢを中心とした円形の測定セルカバレッジを想定する。実際には、セルカバレッジは正確な円形とはならないが、このように想定することで、送信電力に対する制御（後述する）を容易なものとしている。
【００２５】
（２−１）ｅＮＢ間のハンドオーバ
本実施形態の移動通信システムは、例えば次世代の高速移動体通信規格であるＬＴＥ（Long  Term  Evolution）のＥ−ＵＴＲＡＮ(Evolved Universal Terrestrial Radio Access Network)に属する。ＬＴＥでは、各ｅＮＢがコアネットワークに直接接続された構成となっている。図４に、ＬＴＥの構成の概略を示す。図において、ｅＮＢ１，ｅＮＢ２はＸ２インタフェースにより接続される。各ｅＮＢは、上位のＭＭＥ(Mobility Management Entity)とＳ１インタフェースにより接続される。ＭＭＥは、上位のｓＧＷ(serving Gateway)，Ｐ−ＧＷ(PDN(Packet Data Network) Gateway)とＳ１１インタフェースにより接続される。
【００２６】
図４において、ＵＥに対するｅＮＢ１からｅＮＢ２へｅＮＢ間ハンドオーバが行われるときの処理は概略、以下のとおりである。ここでは、ｅＮＢ１がソースｅＮＢ、ｅＮＢ２がターゲットｅＮＢである。
ＵＥでの無線品質の測定報告(RRC MEASUREMENT REPORT)を受けてｅＮＢ１がハンドオーバを実行することを決定する。そしてＸ２インタフェースを介して、ｅＮＢ１からｅＮＢ２へのハンドオーバ要求メッセージ(HANDOVER REQUEST)、及びｅＮＢ２からｅＮＢ１への当該要求に対するハンドオーバ確認メッセージ(HANDOVER REQUEST ACKNOWLEDGE)の授受が行われる。ｅＮＢ間のメッセージ授受が完了すると、ｅＮＢ１からＵＥに対してハンドオーバ指示メッセージ(RRC CONNECTION RECONFIGURATION)が送信される。ハンドオーバ指示メッセージを受けてＵＥは、ターゲットｅＮＢであるｅＮＢ２との間の所定の処理が完了すると、ｅＮＢ２に対してハンドオーバ完了メッセージ(RRC CONNECTION RECONFIGURATION
COMPLETE)を送信する。
なお、ターゲットｅＮＢであるｅＮＢ２は上位のＭＭＥへアクセスし、下りのパスの切替を要求する。このメッセージに応じて、ＭＭＥとその上位のｓＧＷ，Ｐ−ＧＷの間で所定の処理が行われ、両者の間で下りのパスの切替が確認される。
【００２７】
図５に、ＵＥがｅＮＢ１からｅＮＢ２へハンドオーバするときの状態を示す。図５において、ＵＥは、ハンドオーバ開始時に位置Ｐ１に存在し、ハンドオーバ完了時に位置Ｐ２に存在していることを示している。このとき、後述する方法により、ターゲットｅＮＢであるｅＮＢ２のセルカバレッジが測定される。
【００２８】
（２−２）ＵＥ、ｅＮＢの構成
本実施形態の移動通信システムにおけるＵＥ及びｅＮＢの構成について、図６を参照して説明する。
図６に示すように、本実施形態のＵＥは、無線インタフェース部（ＲＦ／ＩＦ）１１、信号処理部１２、受信電力測定部１３、接続制御部１４、及び位置情報取得部１５を備える。
【００２９】
図６に示すＵＥにおいて、無線インタフェース部１１は、ｅＮＢとの間で無線通信を確立するためのアンテナ、受信機及び送信機を含む。受信機は、アンテナで受信した無線信号をデジタルベースバンド信号（以下、受信信号）に変換（ダウンコンバート）する。送信機は、信号処理部１２で生成された送信信号を、ベースバンド周波数から無線周波数へアップコンバートする。
信号処理部１２は、受信信号をデータ信号、制御信号、及び基準信号（例えばパイロット）に分離するとともに、データ信号、制御信号、及び基準信号を多重化して送信信号を生成する。
受信電力測定部１３は、信号処理部１２により分離された受信信号中の基準信号の受信電力値を測定し、この受信電力値を接続制御部１４へ通知する。受信電力測定部１３で測定される受信電力値はｅＮＢへフィードバックされ、ｅＮＢでのセルカバレッジの測定のために利用される。
【００３０】
位置情報取得部１５は、自局の位置情報を取得して、接続制御部１４へ通知する。
位置情報取得部１５における位置取得方法は様々な方法を採ることができる。例えば、位置情報取得部１５は、図示しないＧＰＳ(Global Positioning System)衛星からのＧＰＳ信号を受信して自局の位置データを逐次算出するＧＰＳ測位方式を採ることができる。このＧＰＳ測位方式は、４機以上のＧＰＳ衛星から受信した信号の到着時間から三角測量法の原理によって位置を算出する方法である。位置情報取得部１５は、ＧＰＳ測位方式のほか、いかなる位置取得方法を採ることができる。例えば、ＧＰＳ測位方式よりも精度は劣るが、３局以上のｅＮＢから受信した同期信号の遅延時間から三角測量法の原理によって位置を算出する方法を利用してもよい。
【００３１】
接続制御部１４は、ｅＮＢ間のハンドオーバ処理に伴う処理を行う。例えば、そのような処理は、ハンドオーバ処理における測定報告(RRC MEASUREMENT REPORT)のための無線品質の測定、ｅＮＢとの間で行われる所定のハンドオーバに関連した信号処理及びメッセージの生成及び解析を含む。ここで、接続制御部１４は、受信電力測定部１３で測定された受信電力値と、位置情報取得部１５で取得された位置情報とを、ｅＮＢに対する特定のハンドオーバのメッセージに含ませるようにする。
【００３２】
図６に示すように、本実施形態のｅＮＢは、送信部及び受信部としての無線インタフェース部（ＲＦ／ＩＦ）２１、信号処理部２２、接続制御部２３、セルカバレッジ測定部２４、セルカバレッジ制御部２５、及び外部インタフェース部（外部ＩＦ）２６を備える。
【００３３】
図６に示すｅＮＢにおいて、無線インタフェース部２１は、ＵＥとの間で無線通信を確立するためのアンテナ、受信機及び送信機を含む。受信機は、アンテナで受信した無線信号をデジタルベースバンド信号（以下、受信信号）に変換（ダウンコンバート）する。送信機は、信号処理部２２で生成された送信信号を、ベースバンド周波数から無線周波数へアップコンバートする。
信号処理部２２は、受信信号をデータ信号、制御信号、及び基準信号（例えばパイロット）に分離するとともに、データ信号、制御信号、及び基準信号を多重化して送信信号を生成する。
【００３４】
接続制御部２３は、ｅＮＢ間のハンドオーバ処理に伴う処理を行う。例えば、そのような処理は、ＵＥとの間、又はターゲットｅＮＢ（自局がソースｅＮＢである場合）若しくはソースｅＮＢ（自局がターゲットｅＮＢである場合）との間で行われる所定のハンドオーバに関連したメッセージの生成及び解析を含む。また、接続制御部２３は、外部インタフェース部２６を介して上位のエンティティ（例えばＭＭＥ）等と接続可能に構成される。なお、当然であるが、接続制御部２３におけるハンドオーバ処理はＵＥ毎に管理される。
【００３５】
セルカバレッジ測定部２４は、ＵＥからの特定のハンドオーバのメッセージに含まれている、ＵＥの位置情報とＵＥでの基準信号の受信電力値とに基づいて、セルカバレッジの半径を測定する。セルカバレッジの半径の測定は、ハンドオーバ開始時にｅＮＢへ報告される受信電力値と、ハンドオーバ完了時にｅＮＢへ報告される受信電力値と、ハンドオーバ開始時のＵＥの位置と完了時のＵＥの位置の間の距離により、後述する方法で算出される。なお、セルカバレッジの半径を測定することにより概ねセルカバレッジの全体の領域を推定することができるため、セルカバレッジの半径の測定は、セルカバレッジを測定することと等価である。
【００３６】
セルカバレッジ制御部２５は、セルカバレッジ測定部２４で得られたセルカバレッジの半径（第１距離）と、目標セルカバレッジの半径（所定の目標距離）との誤差が少なくなるように、無線インタフェース部２１の送信機の送信電力を制御する。すなわち、セルカバレッジ測定部２４で得られたセルカバレッジの半径が目標セルカバレッジのそれよりも小さい場合には、送信機の増幅率を増加させて送信電力を上げる。逆に、セルカバレッジ測定部２４で得られたセルカバレッジの半径が目標セルカバレッジのそれよりも大きい場合には、送信機の増幅率を低下させて送信電力を下げる。
【００３７】
（２−３）セルカバレッジの半径の算出方法
本実施形態のｅＮＢにおいて、セルカバレッジの半径の算出方法について、図７を参照して説明する。図７は、ハンドオーバのターゲットｅＮＢからのＵＥの距離と、そのＵＥから報告される受信電力値との関係を示した図である。このセルカバレッジの半径の算出は、ｅＮＢのセルカバレッジ測定部２４において行われる。
ｅＮＢは、他の周辺のｅＮＢからのハンドオーバの対象となるＵＥから、ハンドオーバ開始時及びハンドオーバ完了時の各タイミングで位置情報と受信電力値の報告を受ける。ｅＮＢでは、ハンドオーバ開始時及びハンドオーバ完了時の各タイミングでの位置が分かっているため、三角法の原理に従って、セルエッジの位置が測定される。セルカバレッジの半径は、ｅＮＢとセルエッジまでの距離に等しい。
【００３８】
この算出方法では、三角法の原理を適用するに当たって、２点間、すなわち、ハンドオーバ開始時のＵＥの位置と、ハンドオーバ完了時のＵＥの位置との間の距離は、ヒュベニの計算式に従って正確に算出することが好ましい。
ここで、ハンドオーバ開始時のＵＥの位置（第１位置）の緯度、経度をそれぞれλ1,φ1とし、ハンドオーバ完了時のＵＥの位置（第２位置）の緯度、経度をそれぞれλ2,φ2とする。そして２点間の平均緯度をＰとし、２点間の緯度差、経度差をそれぞれdλ，dφとし、子午線曲率半径をＭ、卯酉線曲率半径をＮとすると、２点間の距離Ｄは、ヒュベニの計算式によれば以下の式１で表すことができる。
【００３９】
Ｄ=sqrt((M*dλ)*(M*dλ)+(N*cos(P)*dφ)*(N*cos(P)*dφ))・・・（式１）
ここで、
P=((λ1+λ2)*π/180)/2
dλ=(λ1-λ2)*π/180
dφ=(φ1-φ2)*π/180
M=6334834/sqrt((1-0.006674*sin(P)*sin(P))^3)
N=6377397/sqrt(1-0.006674*sin(P)*sin(P))
である。
【００４０】
また、セルカバレッジ測定部２４は、この2点間の距離及び、ハンドオーバ開始時の受信電力値（第１受信電力値）をδ1、ハンドオーバ完了時の受信電力値（第２受信電力値）をδ2とすると、求めた２点間の距離Ｄに基づいて、以下の式２に従ってＵＥの信号の減衰率Ｃを算出する。
Ｃ=(δ2-δ1)/Ｄ・・・（式２）
【００４１】
ここで、ハンドオーバのターゲットｅＮＢからハンドオーバ開始時のＵＥまでの距離をＤ２とし、ＳＲ１を測定セルカバレッジの半径とすると、三角法の原理により、δ1/(ＳＲ１−Ｄ２)=Ｃが成り立つ。よって、以下の式３により、測定セルカバレッジの半径を算出することができる。なお、式３で用いるＤ２は上記ヒュベニの計算式で算出できる。
ＳＲ１=Ｄ２＋δ1／Ｃ・・・（式３）
【００４２】
（２−４）セルカバレッジ制御方法
本実施形態の移動通信システムで行われるセルカバレッジ制御方法について説明する。先ず、ハンドオーバのタイミングで行われる、本実施形態のｅＮＢとＵＥの間の処理について、図８を参照して説明する。図８は、本実施形態のｅＮＢとＵＥの間の処理を示すフローチャートである。
図８において、ｅＮＢ１からｅＮＢ２へハンドオーバが行われるとき（図５参照）の処理は、以下のとおりである。
ＵＥでは、無線品質の測定報告(RRC MEASUREMENT REPORT)に先立って、位置情報と受信電力値を取得する（ステップＳ３０）。そして、ＵＥからｅＮＢ１への無線品質の測定報告(RRC MEASUREMENT REPORT)には、ステップＳ３０で得られた位置情報と受信電力値を含ませるようにする（ステップＳ３２）。
無線品質の測定報告に応じてｅＮＢ１がハンドオーバを実行することを決定すると、Ｘ２インタフェースを介して、ｅＮＢ２に対してハンドオーバ要求メッセージ(HANDOVER REQUEST)を送信する（ステップＳ３４）。このとき、このハンドオーバ要求メッセージには、ＵＥから得られた位置情報と受信電力値が含ませるようにする。以上の処理によって、セルカバレッジの半径の測定対象であるｅＮＢ２では、ハンドオーバ開始時のＵＥの位置情報と受信電力値が得られることになる。
【００４３】
ｅＮＢ２では、ステップＳ３４のハンドオーバ要求メッセージに応じて、ｅＮＢ１に対してハンドオーバ確認メッセージ(HANDOVER REQUEST ACKNOWLEDGE)を送信する（ステップＳ３６）。その後、ｅＮＢ１からＵＥに対してハンドオーバ指示メッセージ(RRC CONNECTION RECONFIGURATION)が送信される（ステップＳ３８）。ハンドオーバ指示メッセージを受けてＵＥは、ｅＮＢ２との間の所定の処理が完了すると、ハンドオーバ完了メッセージ(RRC CONNECTION RECONFIGURATION
COMPLETE)に先立って、位置情報と受信電力値を取得する（ステップＳ４０）。そして、ＵＥからｅＮＢ２へのハンドオーバ完了メッセージ(RRC CONNECTION RECONFIGURATION
COMPLETE)には、ステップＳ４０で得られた位置情報と受信電力値を含ませるようにする（ステップＳ４２）。以上の処理によって、セルカバレッジの半径の測定対象であるｅＮＢ２では、ハンドオーバ完了時のＵＥの位置情報と受信電力値が得られることになる。
【００４４】
ハンドオーバ開始時にｅＮＢへ報告される位置情報及び受信電力値と、ハンドオーバ完了時にｅＮＢへ報告される位置情報及び受信電力値とに基づいて、ｅＮＢ内でなされる処理について図９を参照して説明する。ここでは、ｅＮＢが、ハンドオーバ完了メッセージ(RRC CONNECTION RECONFIGURATION
COMPLETE)を受信した場合に（ステップＳ５０）、ステップＳ５２以降の処理が行われる。
【００４５】
ｅＮＢは、ハンドオーバ開始時のＵＥの位置と、ハンドオーバ完了時のＵＥの位置とが分かっているので、両者の距離Ｄを式１に示したヒュベニの計算式に従って算出する（ステップＳ５２）。ｅＮＢは、ハンドオーバ開始時のＵＥの受信電力値と、ハンドオーバ完了時のＵＥの受信電力値とが分かっており、２点間（ハンドオーバ開始時の位置と完了時の位置との距離）をステップＳ５２で算出済みである。よってｅＮＢは、上記式２に従って、受信電力値の減衰率Ｃを算出する（ステップＳ５４）。さらにｅＮＢは、上記式３に従って、測定セルカバレッジの半径ＳＲ１を算出する（ステップＳ５６）。
なお、ｅＮＢは配下の複数のＵＥのハンドオーバのタイミングで複数の位置情報と受信電力値に基づいてｅＮＢからセルエッジまでの最短距離を得ることが好ましい。この最短距離に基づいて制御を行うことで制御後のセルカバレッジが目標セルカバレッジを確実に包含するようになる。
【００４６】
ｅＮＢは、算出された半径ＳＲ１と目標セルカバレッジの半径ＳＲとを比較し、ＳＲ１がＳＲによって規定される許容範囲ＳＲ−α≦ＳＲ１≦ＳＲ＋α（α：閾値）に含まれない場合には、送信電力値の調整を行う。すなわち、ｅＮＢは、ＳＲ１＜ＳＲ−αである場合には（ステップＳ５８のＹＥＳ）、測定セルカバレッジが目標セルカバレッジよりも過度に狭いことを意味するため、送信電力を上げる制御を行う（ステップＳ６０）。また、ｅＮＢは、ＳＲ１＞ＳＲ＋αである場合には（ステップＳ６２のＹＥＳ）、測定セルカバレッジが目標セルカバレッジよりも過度に広いことを意味するため、送信電力を下げる制御を行う（ステップＳ６４）。ステップＳ６０及びステップＳ６４における送信電力の増加又は減少の量は、算出された半径ＳＲ１と目標セルカバレッジの半径ＳＲの差分に応じて決定される。例えば、算出された半径ＳＲ１が目標セルカバレッジの半径ＳＲよりも小さい場合に、両者の差をΔＳＲとすると、ΔＳＲが大きいときの送信電力の増加量は、ΔＳＲが小さいときのそれよりも、大きくなる。
【００４７】
以上説明したように、本実施形態の移動通信システムでは、セルカバレッジの測定は、ＵＥに対するｅＮＢ間ハンドオーバが行われるタイミングでなされる。そして、ｅＮＢは、測定セルカバレッジを得るために、セルカバレッジの半径が測定される。ｅＮＢは、測定されたセルカバレッジの半径と目標セルカバレッジの半径が比較し、その比較結果に応じてＵＥに対する送信電力が制御される。本実施形態の移動通信システムによれば、ＵＥに対するｅＮＢ間ハンドオーバが行われるタイミングでなされるため、セルの境界の測定が高い精度で得られる。よって、測定セルカバレッジと目標セルカバレッジの誤差を少なくするための送信電力の制御を精度良く行うことができる。
【００４８】
（３）第３実施形態
以下、第３実施形態の移動通信システムについて説明する。
本実施形態では第２実施形態同様に、ＵＥからの位置情報と受信電力値に基づいて、ｅＮＢからセルエッジまでの距離（セルカバレッジの基準となるｅＮＢからの第１距離）を算出する。そして、このｅＮＢからの距離を半径とする、ｅＮＢを中心とした円形の測定セルカバレッジを想定する。
【００４９】
（３−１）制御の概要
第２実施形態と異なり本実施形態では、ｅＮＢが、ＵＥからの受信電力値の報告に基づいてＵＥがセルエッジ近傍に位置すると判断した場合に、そのＵＥからの位置情報と受信電力値を基にセルカバレッジの半径を算出する。ＵＥがセルエッジ近傍に位置するか否かの判断は、ＵＥから報告される受信電力値が所定の閾値以下であるか否かに基づく。本実施形態の移動通信システムにおいても、第２実施形態のものと同様、セルカバレッジの半径が測定される。この半径の測定（算出）方法は後述する。ｅＮＢは、測定されたセルカバレッジの半径と目標セルカバレッジの半径が比較し、その比較結果に応じてＵＥに対する送信電力が制御される。この制御の概要について示したのが図１０である。
【００５０】
図１０において、（ａ）は制御前のセルカバレッジ、（ｂ）は制御後のセルカバレッジ、をそれぞれ示している。図１０（ａ）において、ｅＮＢは、ＵＥから位置情報と受信電力値の報告を受ける。このＵＥがセルエッジ近傍に位置すると判断されると、ｅＮＢからセルエッジまでの距離、すなわちセルカバレッジの半径（図１０（ａ）のＳＲ１）が算出される。この半径ＳＲ１が測定セルカバレッジの半径である。測定セルカバレッジの半径ＳＲ１が目標セルカバレッジの半径ＳＲ以下であるときには、ｅＮＢからの送信電力を増加させる制御が行われる。その結果、図１０（ｂ）に示すように、ｅＮＢのセルカバレッジが全体的に拡大する。ここで、ｅＮＢは配下の複数のＵＥからの位置情報と受信電力値に基づいてｅＮＢからセルエッジまでの最短距離を得ることが好ましい。この最短距離に基づいて制御を行うことで制御後のセルカバレッジが目標セルカバレッジを確実に包含するようになる。
なお、本実施形態の移動通信システムにおいて、ｅＮＢ及びＵＥは、例えば図６に示した構成と同様の構成を備える。
【００５１】
（３−２）セルカバレッジの半径の算出方法
本実施形態のｅＮＢにおいて、セルカバレッジの半径の算出方法について、図１１を参照して説明する。図１１は、セルエッジ近傍に位置するＵＥのｅＮＢからの距離と、そのＵＥから報告される受信電力値との関係を示した図である。このセルカバレッジの半径の算出は、ｅＮＢのセルカバレッジ測定部２４（図６参照）において行われる。
【００５２】
ｅＮＢは、セルエッジ近傍に位置すると判断されたＵＥからの位置情報（第４位置）と受信電力値（第４受信電力値）の報告を受ける。図１１では、この受信電力値をδ1としている。また、ｅＮＢにおいて、仮にＵＥが自局と同位置に位置するとした場合の受信電力値としての、所定の受信電力値が既知であるとする。図１１では、この既知の受信電力値をδ2としている。この既知の受信電力値は、仮にＵＥが自局と同位置に位置するとした場合の受信電力値に限られない。ｅＮＢを基準とした位置（第３位置）と受信電力値（第３受信電力値）が既知であればよい。例えば、ｅＮＢを基準とした位置と、その位置におけるＵＥの基準信号の受信電力値とを予め測定しておき、その測定値をｅＮＢで保持しておけばよい。
【００５３】
ｅＮＢは、第２実施形態の場合と同様に、三角法の原理に従って、緯度及び経度を特定した、セルカバレッジの境界としてのセルエッジを測定する。ここでは、２点間の距離Ｄは、ｅＮＢと、セルエッジ近傍に位置すると判断されたＵＥとの間の距離である。第２実施形態と同様に、上記式（１）〜（３）に従って、測定セルカバレッジの半径ＳＲ１が算出される。
【００５４】
（３−３）セルカバレッジ制御方法
本実施形態の移動通信システムで行われるセルカバレッジ制御方法について説明する。先ず、本実施形態のｅＮＢとＵＥの間の処理について、図１２を参照して説明する。図１２は、本実施形態のｅＮＢとＵＥの間の処理を示すフローチャートである。
先ずＵＥは、ｅＮＢからの基準信号の受信電力値を取得する（ステップＳ７０）。さらにＵＥは、その取得した受信電力値が所定の閾値以下である場合に位置情報を取得する（ステップＳ７２）。この所定の閾値は、ＵＥがセルエッジ近傍に位置するか否かの判断を行うために設定される。その後、ＵＥは、ｅＮＢ１への無線品質の測定報告(RRC MEASUREMENT REPORT)に、ステップＳ７０及びＳ７２で得られた位置情報と受信電力値を含ませるようにする（ステップＳ７４）。これにより、ｅＮＢで、セルエッジ近傍に位置するＵＥの位置情報と受信電力値が得られたことになる。
【００５５】
次に、セルエッジ近傍に位置するＵＥの位置情報と受信電力値と、ｅＮＢを基準とした既知の位置情報と受信電力値とに基づいて、ｅＮＢ内でなされる処理について図１３を参照して説明する。以下では、ｅＮＢで既知の位置情報と受信電力値は、自局の位置情報とその位置における受信電力値であるとする。このｅＮＢの処理は、図１２のステップＳ７４（図１３では、ステップＳ８０）以降で行われる。
【００５６】
ステップＳ８０の後にｅＮＢは、セルエッジ近傍に位置するＵＥの位置と、自局の位置との間の距離Ｄを式１に示したヒュベニの計算式に従って算出する（ステップＳ８２）。次にｅＮＢは、セルエッジ近傍に位置するＵＥの受信電力値と、既知の受信電力値とに基づき、上記式２に従って受信電力値の減衰率Ｃを算出する（ステップＳ８４）。さらにｅＮＢは、上記式３に従って測定セルカバレッジの半径ＳＲ１を算出する（ステップＳ８６）。
【００５７】
次にｅＮＢは、算出された半径ＳＲ１と目標セルカバレッジの半径ＳＲとを比較し、ＳＲ１がＳＲによって規定される許容範囲ＳＲ−α≦ＳＲ１≦ＳＲ＋α（α：閾値）に含まれない場合には、送信電力値の調整を行う。すなわち、ｅＮＢは、ＳＲ１＜ＳＲ−αである場合には（ステップＳ８８のＹＥＳ）、測定セルカバレッジが目標セルカバレッジよりも過度に狭いことを意味するため、送信電力を上げる制御を行う（ステップＳ９０）。また、ｅＮＢは、ＳＲ１＞ＳＲ＋αである場合には（ステップＳ９２のＹＥＳ）、測定セルカバレッジが目標セルカバレッジよりも過度に広いことを意味するため、送信電力を下げる制御を行う（ステップＳ９４）。ステップＳ９０及びステップＳ９４における送信電力の増加又は減少の量は、算出された半径ＳＲ１と目標セルカバレッジの半径ＳＲの差分に応じて決定される。例えば、算出された半径ＳＲ１が目標セルカバレッジの半径ＳＲよりも小さい場合に、両者の差をΔＳＲとすると、ΔＳＲが大きいときの送信電力の増加量は、ΔＳＲが小さいときのそれよりも、大きくなる。
【００５８】
以上説明したように、本実施形態の移動通信システムでは、ＵＥからの受信電力値の報告に基づいてＵＥがセルエッジ近傍に位置すると判断されたときになされる。そして、ｅＮＢは、測定セルカバレッジを得るために、セルカバレッジの半径が測定される。ｅＮＢは、測定されたセルカバレッジの半径と目標セルカバレッジの半径が比較し、その比較結果に応じてＵＥに対する送信電力が制御される。
【００５９】
（４）第４実施形態
以下、第４実施形態の移動通信システムについて説明する。
（４−１）制御の概要
本実施形態では、セルエッジのみならずセル内の局所的な感度不良エリアも特定することができるようにセルカバレッジを測定が行われる。そのために、ＵＥでは、ｅＮＢからの基準信号の送信電力値と、その基準信号の受信電力値とに基づいて、ｅＮＢからの信号減衰度、すなわちパスロスを測定する。パスロスは例えば、ｅＮＢからの基準信号の送信電力値と、その基準信号のＵＥでの受信電力値との差分である。パスロスが大きいほどｅＮＢからＵＥへの信号の減衰度が大きく、両者の無線通信が困難になることを意味する。また、ｅＮＢからの基準信号の送信電力値は、ｅＮＢからＵＥへの下りの制御信号の中に含めることでＵＥへ通知してもよいし、既知の値としてＵＥにて保持するようにしてもよい。
【００６０】
ＵＥで測定されたパスロスは、セル内の各ＵＥからｅＮＢへ位置情報とともに報告される。こｅＮＢでは、測定されたパスロスが所定の閾値以下であるときの各ＵＥの位置情報を集めることで、セルカバレッジの領域を特定する。位置情報とパスロスを多くのＵＥから集めることで、セルエッジのみならずセル内の局所的な感度不良エリアも特定することができる。そのため、本実施形態の移動通信システムでは、制御対象のパラメータとして送信電力だけでなく、アンテナの高さ、指向方向、及びチルト角度等を選択してセル内の局所的な感度不良エリアを低減する制御を行うことができる。
【００６１】
図１４は、上述したセルカバレッジ制御の概要を説明するための図である。
図１４では、一例としてｅＮＢ１を中心とした矩形又は正方形のセルカバレッジを想定する。このｅＮＢ１の目標セルカバレッジが点線で囲んだ領域である。また、実線で囲んだ領域は、ＵＥで測定されたパスロスが所定の閾値以下であるときの各ＵＥの位置情報を集めることで得られた、測定セルカバレッジである。目標セルカバレッジの内、測定セルカバレッジと重複しない領域が感度不良エリアである。本実施形態において、ｅＮＢ１は感度不良エリアを特定すると、この感度不良エリアを低減する制御を行う。図１４に示した例では、例えばｅＮＢ１の送信電力を増加させて感度不良エリアを低減するようにしてもよいし、ｅＮＢ１のアンテナのチルト角度を調整して感度不良エリアを低減するようにしてもよい。ｅＮＢ１のアンテナのチルト角度を調整することで、測定セルカバレッジが目標セルカバレッジに一致するように、測定セルカバレッジが全体的にシフトすることになる。
【００６２】
送信電力、アンテナのチルト角度を含む複数のパラメータのいずれを制御対象とするかについては、感度不良エリアを特定した結果に基づいて決定される。一例としては、感度不良エリアが全方向でセルエッジ近傍に存在する場合には送信電力が制御対象として選択されうる。他の例としては、感度不良エリアが局所的又は特定の方向に存在する場合には、アンテナのチルト角度が制御対象として選択されうる。後者の場合には、特定のセクタのみを制御対象としてもよい。
【００６３】
なお、本実施形態のｅＮＢでは、アンテナの高さ、指向方向、及びチルト角度等を制御するため制御システム（図示せず）が実装される。この制御システムには、制御指令に基づいて、アンテナの高さ方向、アンテナの指向方向、及びアンテナのチルト角度方向を調節するためのアクチュエータ等が含まれる。
【００６４】
（４−２）セルカバレッジ制御方法
本実施形態の移動通信システムで行われるセルカバレッジ制御方法について説明する。図１５は、本実施形態のセルカバレッジ制御方法に従って行われる、ｅＮＢとＵＥの間の処理を示すフローチャートである。
【００６５】
図１５において、先ずｅＮＢはＵＥに対して所定の電力レベルの基準信号を送信する（ステップＳ９８）。ＵＥは、ｅＮＢからの基準信号の受信電力値を取得する。ここで、ｅＮＢの基準信号の送信電力値がＵＥで既知であるとする。ＵＥは、ｅＮＢの基準信号の送信電力値とその基準信号の自局における受信電力値とに基づいて、パスロスを測定する（ステップＳ１００）。さらに、ＵＥは、位置情報を取得する（ステップＳ１０２）。この位置情報には例えば、所定のエリア単位（領域単位）の緯度及び経度の値が含まれる。その後、ＵＥは、ｅＮＢ１への無線品質の測定報告(RRC MEASUREMENT REPORT)に、ステップＳ１００及びＳ１０２で得られたパスロスと位置情報を含ませるようにする（ステップＳ１０４）。これにより、ｅＮＢはＵＥの位置情報と受信電力値が得られたことになる。
【００６６】
ｅＮＢは、自局と無線通信を行っている複数のＵＥの各々に対してステップＳ１００〜Ｓ１０４の処理を行うことで、所定のエリア単位の位置情報とパスロスを関連付けて記録していく（ステップＳ１０６）。そして、セルカバレッジの領域を特定するのに十分な数の、位置情報とパスロスが関連付けられたテーブルデータに基づいて、マッピングデータを作成する（ステップＳ１０８）。このマッピングデータは例えば、緯度及び経度の２次元の地図の中にパスロスの値をプロットしたデータである。同一の位置における複数のパスロスの値は平均化等の統計処理がなされる。マッピングデータにおいて、パスロスが所定の閾値以上である領域は、ｅＮＢからＵＥへの信号の減衰度が大きく、感度不良エリアとして特定される（ステップＳ１１０）。また、パスロスが所定の閾値未満である領域は、ｅＮＢからＵＥへの信号の減衰が小さく、感度良好エリアとして特定される。この感度不良エリアと感度良好エリアの特定により、測定セルカバレッジが得られたことになる。さらに、測定セルカバレッジと目標セルカバレッジの誤差が少なくなるように制御が行われる（ステップＳ１１２）。具体的には、感度不良エリアが解消されるように、送信電力、アンテナの高さ、指向方向、及びチルト角度の複数のパラメータの少なくとも１つに対して制御が行われる。
【００６７】
以上説明したように、本実施形態の移動通信システムでは、各ＵＥはｅＮＢとＵＥの間のパスロスを測定し、ｅＮＢは各ＵＥの位置情報とパスロスを関連付けることで、所定のエリア単位で測定セルカバレッジの領域を特定する。その結果、前記測定セルカバレッジと目標セルカバレッジの誤差としての感度不良エリアが特定される。そしてｅＮＢは、送信電力、アンテナの高さ、指向方向、及びチルト角度の複数のパラメータの少なくとも１つに対して制御することで、特定された感度不良エリアを低減する。すなわち、セルエッジのみならずセル内の局所的な感度不良エリアも特定することになるため、複数のパラメータから最適な制御対象を選択することができる。
【００６８】
（５）第５実施形態
以下、第５実施形態の移動通信システムについて説明する。
（５−１）制御の概要
第４実施形態では、単一のｅＮＢにおける感度不良エリアを特定したが、その感度不良エリアが隣接するｅＮＢによってカバーされている場合もある。その場合に、一定のサービスエリアに属する複数のｅＮＢがそれぞれ独自に感度不良エリアを低減する制御を行ってしまうと、全体として制御結果が過剰になることが考えられる。例えば、一定のサービスエリアに属する複数のｅＮＢがすべて送信電力を増加させる制御を行うことで各ｅＮＢのセルカバレッジが過剰に重複することは、消費電力及び／又は無線リソースの観点から好ましくない。そこで、本実施形態の移動通信システムでは、一定のサービスエリアに属する複数のｅＮＢでＵＥから収集した情報をそのサービスエリア内の単一のｅＮＢに集約する。そして、その単一のｅＮＢがサービスエリア内の各ｅＮＢの制御内容を決定するようにする。
【００６９】
図１６は、上述したセルカバレッジ制御の概要を説明するための図である。
図１６では図１４と同様に、一例としてｅＮＢを中心とした矩形又は正方形のセルカバレッジを想定する。図１６では、例えば一定のサービスエリア内に複数のｅＮＢ１、ｅＮＢ２、ｅＮＢ３が存在する場合を示している。各ｅＮＢ中心にして点線で囲んだ領域は、各ｅＮＢの目標セルカバレッジである。各ｅＮＢ中心にして実線で囲んだ領域は、ＵＥで測定されたパスロスが所定の閾値以下であるときの各ＵＥの位置情報を集めることで得られた、測定セルカバレッジである。目標セルカバレッジの内、測定セルカバレッジと重複しない領域が感度不良エリアである。本実施形態では、各ｅＮＢがＵＥから位置情報とパスロスを収集する点は第４実施形態と同じであるが、各ｅＮＢの位置情報とパスロスを関連付けたテーブルデータが、マスタｅＮＢに集約される。本実施形態において、スレーブｅＮＢは、マスタｅＮＢに対してテーブルデータを提供するｅＮＢである。図１６では例えば、ｅＮＢ３がマスタｅＮＢであり、ｅＮＢ１及びｅＮＢ２がスレーブｅＮＢである。マスタｅＮＢとスレーブｅＮＢの間の通信は、例えばＬＴＥにおけるＸ２ＡＰ (X2 Application Protocol)等の所定の制御プロトコルが利用される。
【００７０】
（５−２）セルカバレッジ制御方法
本実施形態の移動通信システムで行われるセルカバレッジ制御方法について説明する。図１７は、本実施形態のセルカバレッジ制御方法に従って行われる、各ｅＮＢと各ＵＥの間の処理を示すフローチャートである。なお、図１７では、図１６にも示したように、ＵＥ１、ＵＥ２及びＵＥ３はそれぞれ、ｅＮＢ１、ｅＮＢ２及びｅＮＢ３と通信を行っているものとする。
【００７１】
図１７のフローチャートには記載されていないが、ＵＥ１、ＵＥ２及びＵＥ３がそれぞれ、ｅＮＢ１、ｅＮＢ２及びｅＮＢ３からの基準信号に基づいてパスロスを測定するとともに、位置情報を取得する点は、図１５のステップＳ９８〜Ｓ１０２と同じである。その後、ＵＥ１、ＵＥ２及びＵＥ３はそれぞれ、ｅＮＢ１、ｅＮＢ２及びｅＮＢ３への無線品質の測定報告(RRC MEASUREMENT REPORT)に、パスロスと位置情報を含ませるようにする（ステップＳ１２０ａ、Ｓ１２０ｂ、Ｓ１２０ｃ）。各ｅＮＢでは、各ＵＥからのパスロスと位置情報を逐次記録していく（ステップＳ１２２ａ、Ｓ１２２ｂ、Ｓ１２２ｃ）。
【００７２】
セルカバレッジの領域を特定するのに十分な数の、位置情報とパスロスが関連付けられたテーブルデータを作成すると（ステップＳ１２４ａ、Ｓ１２４ｂ、Ｓ１２４ｃ）、スレーブｅＮＢ（ｅＮＢ１、ｅＮＢ２）はテーブルデータをマスタｅＮＢ（ｅＮＢ３）へ送信する（ステップＳ１２６ａ、Ｓ１２６ｂ）。この送信は例えば、Ｘ２ＡＰの新規メッセージにテーブルデータを含ませることで行われる。テーブルデータを受けてｅＮＢ３は、マッピングデータを作成し、感度不良エリアを特定する（ステップＳ１２８）。マッピングデータにおいて、パスロスが所定の閾値以上である領域は、ｅＮＢからＵＥへの信号の減衰度が大きく、感度不良エリアとして特定される。
【００７３】
ここで、ｅＮＢ３は、ｅＮＢ１、ｅＮＢ２及び自局のテーブルデータを集約した結果、すべてのｅＮＢにおいてパスロスが所定の閾値以上である領域を感度不良エリアとする。また、いずれかのｅＮＢで作成されたテーブルデータにおいて、パスロスが所定の閾値未満である領域は、サービスエリア内の少なくとも単一のｅＮＢでカバーされることになるため、感度良好エリアとして特定される。
【００７４】
この感度不良エリアと感度良好エリアの特定により、ｅＮＢ３において測定セルカバレッジが得られたことになる。さらに、測定セルカバレッジと目標セルカバレッジの誤差が少なくなるように制御が行われる（ステップＳ１３０）。このとき、感度不良エリアの位置に応じて、スレーブｅＮＢであるｅＮＢ１及び／又はｅＮＢ２で制御を行うことが好ましいと判断すれば、ｅＮＢ３からｅＮＢ１及び／又はｅＮＢ２に対し、Ｘ２ＡＰ等の所定の制御プロトコルを利用して制御指示が送られる（ステップＳ１３２ａ、Ｓ１３２ｂ）。その結果、ｅＮＢ１〜３の少なくともいずれかにおいて、感度不良エリアが解消されるように、送信電力、アンテナの高さ、指向方向、及びチルト角度の複数のパラメータの少なくとも１つに対する制御が行われる。
【００７５】
以上説明したように、本実施形態の移動通信システムでは、一定のサービスエリアに属する複数のｅＮＢの内、マスタｅＮＢにＵＥの位置情報とパスロスの情報を集約し、マスタｅＮＢおいて制御内容を決定する。このとき、マスタｅＮＢは、サービスエリア内のすべてのｅＮＢにおいてパスロスが所定の閾値以上である領域を感度不良エリアとするとともに、各ｅＮＢで制御対象エリアが重複しないように各ｅＮＢに対して制御指示を行う。よって、一定のサービスエリア内で全体としてセルカバレッジの制御結果が過剰になることが回避される。
【００７６】
（６）第６実施形態
以下、第６実施形態の移動通信システムについて説明する。
（６−１）制御の概要
第６実施形態の移動通信システムは、第５実施形態と同じく、一定のサービスエリアに属する複数のｅＮＢにおいて、セルカバレッジの制御が過剰とならないようにする目的で構成されている。具体的には、一定のサービスエリア内の複数のｅＮＢの情報を集約するとともに、各ｅＮＢにおける制御内容を決定するエンティティ、例えばＥＭＳ(Element Management System)等が設けられる。ＥＭＳは複数のｅＮＢを監視する監視制御装置である。
【００７７】
図１８は、上述した制御の概要を説明するための図である。
図１８が図１６と異なるのは、サービスエリア内の各ｅＮＢがＥＭＳと接続されている点である。本実施形態では、各ｅＮＢがＵＥから位置情報とパスロスを収集する点は第４及び第５実施形態と同じであるが、各ｅＮＢの位置情報とパスロスを含むテーブルデータがＥＭＳに集約される。ＥＭＳは集約したテーブルデータを基に各ｅＮＢの制御内容を決定する。
【００７８】
（５−２）セルカバレッジ制御方法
次に、本実施形態の移動通信システムで行われるセルカバレッジ制御方法について説明する。図１９は、本実施形態のセルカバレッジ制御方法に従って行われる、各ｅＮＢ、各ＵＥ、及びＥＭＳの間の処理を示すフローチャートである。なお、図１９では、図１８にも示したように、ＵＥ１、ＵＥ２及びＵＥ３はそれぞれ、ｅＮＢ１、ｅＮＢ２及びｅＮＢ３と通信を行っているものとする。
【００７９】
図１９のフローチャートには記載されていないが、ＵＥ１、ＵＥ２及びＵＥ３がそれぞれ、ｅＮＢ１、ｅＮＢ２及びｅＮＢ３からの基準信号に基づいてパスロスを測定するとともに、位置情報を取得する点は、図１５のステップＳ９８〜Ｓ１０２と同じである。その後、ＵＥ１、ＵＥ２及びＵＥ３はそれぞれ、ｅＮＢ１、ｅＮＢ２及びｅＮＢ３への無線品質の測定報告(RRC MEASUREMENT REPORT)に、パスロスと位置情報を含ませるようにする（ステップＳ１４０ａ、Ｓ１４０ｂ、Ｓ１４０ｃ）。各ｅＮＢでは、各ＵＥからのパスロスと位置情報を逐次記録するとともにＥＭＳへ転送する（ステップＳ１４２ａ、Ｓ１４２ｂ、Ｓ１４２ｃ）。
【００８０】
セルカバレッジの領域を特定するのに十分な数の、位置情報とパスロスが収集されると、ＥＭＳは、マッピングデータを作成し、感度不良エリアを特定する（ステップＳ１４４）。マッピングデータにおいて、パスロスが所定の閾値以上である領域は、ｅＮＢからＵＥへの信号の減衰度が大きく、感度不良エリアとして特定される。
【００８１】
ここで、ＥＭＳは、ｅＮＢ１、ｅＮＢ２及びｅＮＢ３のテーブルデータを集約した結果、すべてのｅＮＢにおいてパスロスが所定の閾値以上である領域を感度不良エリアとする。また、いずれかのｅＮＢで作成されたテーブルデータにおいて、パスロスが所定の閾値未満である領域は、サービスエリア内の少なくとも単一のｅＮＢでカバーされることになるため、感度良好エリアとして特定される。
【００８２】
この感度不良エリアと感度良好エリアの特定により、ｅＮＢ３において測定セルカバレッジが得られたことになる。さらにＥＭＳ、測定セルカバレッジと目標セルカバレッジの誤差が少なくなるように制御内容を決定し、各ｅＮＢへ制御指示を送る（ステップＳ１４６）。その結果、ｅＮＢ１〜３の少なくともいずれかにおいて、感度不良エリアが解消されるように、送信電力、アンテナの高さ、指向方向、及びチルト角度の複数のパラメータの少なくとも１つに対する制御が行われる（ステップＳ１４８ａ、Ｓ１４８ｂ、Ｓ１４８ｃ）。
【００８３】
本実施形態の移動通信システムにおいても第５実施形態と同様に、一定のサービスエリア内で全体としてセルカバレッジの制御結果が過剰になることが回避される。
【００８４】
以上、本発明の実施形態について詳細に説明したが、本発明の通信装置、パケット同期方法は上記実施形態に限定されず、本発明の主旨を逸脱しない範囲において、種々の改良や変更をしてもよいのはもちろんである。
【符号の説明】
【００８５】
ＵＥ（移動局）
１１…無線インタフェース部、１２…信号処理部、１３…受信電力測定部、１４…接続制御部、１５…位置情報取得部
ｅＮＢ（基地局）
２１…無線インタフェース部、２２…信号処理部、２３…接続制御部、２４…セルカバレッジ測定部、２５…セルカバレッジ制御部、２６…外部インタフェース部
【図１】
0005423873.tif 000002
【図２】
0005423873.tif 000003
【図３】
0005423873.tif 000004
【図４】
0005423873.tif 000005
【図５】
0005423873.tif 000006
【図６】
0005423873.tif 000007
【図７】
0005423873.tif 000008
【図８】
0005423873.tif 000009
【図９】
0005423873.tif 000010
【図１０】
0005423873.tif 000011
【図１１】
0005423873.tif 000012
【図１２】
0005423873.tif 000013
【図１３】
0005423873.tif 000014
【図１４】
0005423873.tif 000015
【図１５】
0005423873.tif 000016
【図１６】
0005423873.tif 000017
【図１７】
0005423873.tif 000018
【図１８】
0005423873.tif 000019
【図１９】
0005423873.tif 000020